【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
所定の演出開始条件の成立に応じて演出制御を実行する演出制御手段を備える遊技機と、遊技者が携行可能な携帯端末と、から成る遊技用システムであって、
前記携帯端末は、
前記演出制御において第１の演出を実行可能とするための第１の演出情報と、前記演出制御において第２の演出を実行可能とするための第２の演出情報とを含む複数の演出情報を受付け可能な演出情報受付け手段と、
該演出情報受付け手段による前記第１の演出情報と前記第２の演出情報の受付け結果に応じて、前記第１の演出情報を受付けており前記第２の演出情報の受付けていないこと、前記第１の演出情報を受付けておらず前記第２の演出情報を受付けていること、または前記第１の演出情報と前記第２の演出情報を受付けていることを特定可能な１つの統合演出情報を特定するための統合演出情報特定手段と、
該統合演出情報特定手段により特定した統合演出情報を出力する統合演出情報出力手段と、
を備え、
前記遊技機は、
前記出力された統合演出情報を入力可能な入力手段を備え、該入力された統合演出情報から前記第１の演出情報を受付けたことが特定されるときには前記第１の演出を前記演出制御手段により実行可能であり、該入力された統合演出情報から前記第２の演出情報を受付けたことが特定されるときには前記第２の演出を前記演出制御手段により実行可能であり、
前記第１の演出は、少なくとも遊技者にとって有利な有利状態に関する演出であって、前記有利状態に制御される場合には、前記有利状態に制御されない場合よりも高い割合で実行される
ことを特徴とする遊技用システム。
【請求項２】
所定の演出開始条件の成立に応じて演出制御を実行する演出制御手段を備える遊技機であって、
前記演出制御において第１の演出を実行可能とするための第１の演出情報を受付けており前記演出制御において第２の演出を実行可能とするための第２の演出情報の受付けていないこと、前記第１の演出情報を受付けておらず前記第２の演出情報を受付けていること、または前記第１の演出情報と前記第２の演出情報を受付けていることを特定可能な１つの統合演出情報を出力可能な携帯端末より出力される該統合演出情報を入力可能な入力手段を備え、
前記演出制御手段は、
前記入力手段に入力された統合演出情報から前記第１の演出情報を受付けたことが特定されるときには前記第１の演出を実行可能であり、該入力された統合演出情報から前記第２の演出情報を受付けたことが特定されるときには前記第２の演出を実行可能であり、
前記第１の演出は、少なくとも遊技者にとって有利な有利状態に関する演出であって、前記有利状態に制御される場合には、前記有利状態に制御されない場合よりも高い割合で実行される
ことを特徴とする遊技機。
【請求項３】
遊技者が携行可能な携帯端末において実行される携帯端末用プログラムであって、
前記携帯端末を、
所定の演出開始条件の成立に応じて演出制御を実行する遊技機における該演出制御において、少なくとも遊技者にとって有利な有利状態に関する演出であって、遊技機が前記有利状態に制御される場合には前記有利状態に制御されない場合よりも高い割合で実行される第１の演出を実行可能とするための第１の演出情報と、前記演出制御において第２の演出を実行可能とするための第２の演出情報とを含む複数の演出情報を受付け可能な演出情報受付け手段と、
該演出情報受付け手段による前記第１の演出情報と前記第２の演出情報の受付け結果に応じて、前記第１の演出情報を受付けており前記第２の演出情報の受付けていないこと、前記第１の演出情報を受付けておらず前記第２の演出情報を受付けていること、または前記第１の演出情報と前記第２の演出情報を受付けていることを特定可能な１つの統合演出情報を特定するための統合演出情報特定手段と、
該統合演出情報特定手段により特定した統合演出情報を、該統合演出情報から前記第１の演出情報を受付けたことが特定されるときには前記第１の演出を遊技機において実行可能とし、該統合演出情報から前記第２の演出情報を受付けたことが特定されるときには前記第２の演出を遊技機において実行可能とするために出力する統合演出情報出力手段と、
して機能させることを特徴とする携帯端末用プログラム。
【請求項４】
所定の演出開始条件の成立に応じて演出制御を実行する遊技機において実行される遊技機用プログラムと、
遊技者が携行可能な携帯端末において実行される携帯端末用プログラムと、から成る遊技システム用プログラムであって、
前記携帯端末用プログラムは前記携帯端末を、
前記演出制御において、少なくとも遊技者にとって有利な有利状態に関する演出であって、遊技機が前記有利状態に制御される場合には前記有利状態に制御されない場合よりも高い割合で実行される第１の演出を実行可能とするための第１の演出情報と、前記演出制御において第２の演出を実行可能とするための第２の演出情報とを含む複数の演出情報を受付け可能な演出情報受付け手段と、
該演出情報受付け手段による前記第１の演出情報と前記第２の演出情報の受付け結果に応じて、前記第１の演出情報を受付けており前記第２の演出情報の受付けていないこと、前記第１の演出情報を受付けておらず前記第２の演出情報を受付けていること、または前記第１の演出情報と前記第２の演出情報を受付けていることを特定可能な１つの統合演出情報を特定するための統合演出情報特定手段と、
該統合演出情報特定手段により特定した統合演出情報を出力する統合演出情報出力手段と、
して機能させ、
前記遊技機用プログラムは前記遊技機を、
前記出力された統合演出情報を入力可能な入力手段と、
該入力された統合演出情報から前記第１の演出情報を受付けたことが特定されるときには前記第１の演出を実行可能であり、該入力された統合演出情報から前記第２の演出情報を受付けたことが特定されるときには前記第２の演出を実行可能な演出制御手段と、
して機能させることを特徴とする遊技システム用プログラム。
【手続補正２】
【補正対象書類名】明細書
【補正対象項目名】０００２
【補正方法】変更
【補正の内容】
【０００２】
従来、パラメータに応じたキャラクタによる演出を実施する遊技機として、予め記憶されたキャラクタのパラメータが設定され、該パラメータを遊技状況に応じて変化させて、該パラメータに応じたキャラクタによるキャラクタ演出を行うとともに、所定の表示操作が実施されることにより入力情報表示専用画面を表示してパラメータを特定可能なパスワードの受付けを行い、該入力情報表示専用画面において受付けたパスワードから特定されるパラメータを、キャラクタのパラメータとして設定することで、過去に実施した遊技におけるキャラクタのパラメータを引き継いで、遊技を再開できるものがある（例えば、特許文献１参照）。
【手続補正３】
【補正対象書類名】明細書
【補正対象項目名】０００４
【補正方法】変更
【補正の内容】
【０００４】
しかしながら、特許文献１の遊技機にあっては、１つのパスワードで１つの演出情報のみが受付け可能とされ、該受付けた１つの演出情報によりパラメータの引き継ぎが可能とされているので、複数の演出情報を獲得した遊技者であっても、そのうちの１つの演出情報により引き継がれたパラメータによる演出制御しか実行されないので、これら複数の演出情報を獲得した遊技者の興趣を向上できず、よって、これら演出情報の提供による遊技の促進効果が十分に得られないという問題があった。
【手続補正４】
【補正対象書類名】明細書
【補正対象項目名】０００５
【補正方法】変更
【補正の内容】
【０００５】
本発明は、このような問題点に着目してなされたもので、複数の演出情報を獲得した遊技者の興趣を向上することのできる遊技機、遊技用システム、携帯端末用プログラム、および遊技システム用プログラムを提供することを目的とする。
【手続補正５】
【補正対象書類名】明細書
【補正対象項目名】０００６
【補正方法】変更
【補正の内容】
【０００６】
上記課題を解決するために、本発明の請求項１に記載の遊技用システムは、
所定の演出開始条件の成立（第１始動入賞口１３および第２始動入賞口１４への入賞）に応じて演出制御を実行する演出制御手段（演出制御基板８０）を備える遊技機（パチンコ機１）と、遊技者が携行可能な携帯端末（携帯電話機４００）と、から成る遊技用システムであって、
前記携帯端末は、
前記演出制御において第１の演出を実行可能とするための第１の演出情報と、前記演出制御において第２の演出を実行可能とするための第２の演出情報とを含む複数の演出情報を受付け可能な演出情報受付け手段（制御部４５５、ＴＤアプリ、撮像部４６９）と、
該演出情報受付け手段による前記第１の演出情報と前記第２の演出情報の受付け結果に応じて、前記第１の演出情報を受付けており前記第２の演出情報の受付けていないこと、前記第１の演出情報を受付けておらず前記第２の演出情報を受付けていること、または前記第１の演出情報と前記第２の演出情報を受付けていることを特定可能な１つの統合演出情報（統合パスワード）を特定するための統合演出情報特定手段（制御部４５５、ＴＤアプリ）と、
該統合演出情報特定手段により特定した統合演出情報を出力する統合演出情報出力手段（制御部４５５、ＴＤアプリ、赤外線通信部４６８）と、
を備え、
前記遊技機は、
前記出力された統合演出情報を入力可能な入力手段（通信部１０６）を備え、該入力された統合演出情報から前記第１の演出情報を受付けたことが特定されるときには前記第１の演出を前記演出制御手段により実行可能であり、該入力された統合演出情報から前記第２の演出情報を受付けたことが特定されるときには前記第２の演出を前記演出制御手段により実行可能であり、
前記第１の演出は、少なくとも遊技者にとって有利な有利状態に関する演出であって、前記有利状態に制御される場合には、前記有利状態に制御されない場合よりも高い割合で実行される
ことを特徴としている。
この特徴によれば、１つの統合演出情報から、第１の演出情報を受付けたことが特定されるときには第１の演出が実行可能となるとともに、第２の演出情報を受付けたことが特定されるときには第２の演出が実行可能となるので、複数の演出情報を獲得した遊技者の興趣を向上することができる。
【手続補正６】
【補正対象書類名】明細書
【補正対象項目名】００１１
【補正方法】変更
【補正の内容】
【００１１】
本発明の請求項２に記載の遊技機（パチンコ機１）は、
所定の演出開始条件の成立に応じて演出制御を実行する演出制御手段を備える遊技機であって、
遊技者が携行可能な端末であって、前記演出制御において第１の演出を実行可能とするための第１の演出情報と、前記演出制御において第２の演出を実行可能とするための第２の演出情報とを含む複数の演出情報を受付け可能であり、
前記演出制御において第１の演出を実行可能とするための第１の演出情報を受付けており前記演出制御において第２の演出を実行可能とするための第２の演出情報の受付けていないこと、前記第１の演出情報を受付けておらず前記第２の演出情報を受付けていること、または前記第１の演出情報と前記第２の演出情報を受付けていることを特定可能な１つの統合演出情報を出力可能な携帯端末より出力される該統合演出情報を入力可能な入力手段（通信部１０６）を備え、
前記演出制御手段は、
前記入力手段に入力された統合演出情報から前記第１の演出情報を受付けたことが特定されるときには前記第１の演出を実行可能であり、該入力された統合演出情報から前記第２の演出情報を受付けたことが特定されるときには前記第２の演出を実行可能であり、
前記第１の演出は、少なくとも遊技者にとって有利な有利状態に関する演出であって、前記有利状態に制御される場合には、前記有利状態に制御されない場合よりも高い割合で実行される
ことを特徴としている。
この特徴によれば、１つの統合演出情報から、第１の演出情報を受付けたことが特定されるときには第１の演出が実行可能となるともに、第２の演出情報を受付けたことが特定されるときには第２の演出が実行可能となるので、これら複数の演出情報を獲得した遊技者の興趣を向上することができる。
【手続補正７】
【補正対象書類名】明細書
【補正対象項目名】００１７
【補正方法】変更
【補正の内容】
【００１７】
本発明の請求項３に記載の携帯端末用プログラムは、
遊技者が携行可能な携帯端末（携帯電話機４００）において実行される携帯端末用プログラム（ＴＤアプリ）であって、
前記携帯端末を、
所定の演出開始条件の成立（第１始動入賞口１３および第２始動入賞口１４への入賞）に応じて演出制御を実行する遊技機（パチンコ機１）における該演出制御において、少なくとも遊技者にとって有利な有利状態に関する演出であって、遊技機が前記有利状態に制御される場合には前記有利状態に制御されない場合よりも高い割合で実行される第１の演出を実行可能とするための第１の演出情報と、前記演出制御において第２の演出を実行可能とするための第２の演出情報とを含む複数の演出情報を受付け可能な演出情報受付け手段（制御部４５５、ＴＤアプリ、撮像部４６９）と、
該演出情報受付け手段による前記第１の演出情報と前記第２の演出情報の受付け結果に応じて、前記第１の演出情報を受付けており前記第２の演出情報の受付けていないこと、前記第１の演出情報を受付けておらず前記第２の演出情報を受付けていること、または前記第１の演出情報と前記第２の演出情報を受付けていることを特定可能な１つの統合演出情報（統合パスワード）を特定するための統合演出情報特定手段（制御部４５５、ＴＤアプリ）と、
該統合演出情報特定手段により特定した統合演出情報を、該統合演出情報から前記第１の演出情報を受付けたことが特定されるときには前記第１の演出を遊技機において実行可能とし、該統合演出情報から前記第２の演出情報を受付けたことが特定されるときには前記第２の演出を遊技機において実行可能とするために出力する統合演出情報出力手段（制御部４５５、ＴＤアプリ、赤外線通信部４６８）と、
して機能させることを特徴としている。
この特徴によれば、１つの統合演出情報から、第１の演出情報を受付けたことが特定されるときには第１の演出を、第２の演出情報を受付けたことが特定されるときには第２の演出を遊技機において実行可能とするための携帯端末を簡便に提供することができる。
【手続補正８】
【補正対象書類名】明細書
【補正対象項目名】００１８
【補正方法】変更
【補正の内容】
【００１８】
本発明の請求項４に記載の遊技システム用プログラムは、
所定の演出開始条件の成立（第１始動入賞口１３および第２始動入賞口１４への入賞）に応じて演出制御を実行する遊技機（パチンコ機１）において実行される遊技機用プログラム（演出制御プログラム）と、
遊技者が携行可能な携帯端末において実行される携帯端末用プログラム（ＴＤアプリ）と、から成る遊技システム用プログラムであって、
前記携帯端末用プログラムは前記携帯端末を、
前記演出制御において、少なくとも遊技者にとって有利な有利状態に関する演出であって、遊技機が前記有利状態に制御される場合には前記有利状態に制御されない場合よりも高い割合で実行される第１の演出を実行可能とするための第１の演出情報と、前記演出制御において第２の演出を実行可能とするための第２の演出情報とを含む複数の演出情報を受付け可能な演出情報受付け手段（制御部４５５、ＴＤアプリ、撮像部４６９）と、
該演出情報受付け手段による前記第１の演出情報と前記第２の演出情報の受付け結果に応じて、前記第１の演出情報を受付けており前記第２の演出情報の受付けていないこと、前記第１の演出情報を受付けておらず前記第２の演出情報を受付けていること、または前記第１の演出情報と前記第２の演出情報を受付けていることを特定可能な１つの統合演出情報（統合パスワード）を特定するための統合演出情報特定手段（制御部４５５、ＴＤアプリ）と、
該統合演出情報特定手段により特定した統合演出情報を出力する統合演出情報出力手段（制御部４５５、ＴＤアプリ、赤外線通信部４６８）と、
して機能させ、
前記遊技機用プログラムは前記遊技機を、
前記出力された統合演出情報を入力可能な入力手段（通信部１０６）と、
該入力された統合演出情報から前記第１の演出情報を受付けたことが特定されるときには前記第１の演出を実行可能であり、該入力された統合演出情報から前記第２の演出情報を受付けたことが特定されるときには前記第２の演出を実行可能な演出制御手段（演出制御基板８０）と、
して機能させることを特徴としている。
この特徴によれば、１つの統合演出情報から、第１の演出情報を受付けたことが特定されるときには第１の演出が実行可能となるとともに、第２の演出情報を受付けたことが特定されるときには第２の演出が実行可能となるので、複数の演出情報を獲得した遊技者の興趣を向上することができる遊技用システムを簡便に提供することができる。